(57)【要約】【課題】コストが安く、耐久性に優れた立体的なプランターであると共に、施工も維持管理もやりやすい製品を提供するところにある。【解決手段】  立設されたパイプの側面に比較的大きな穴を数個開口して、プラスチックス製で口金付きのネット状の袋形フラワーポット、口金付きのＬ字形の容器形フラワーポットをパイプの開口部から挿入して、口金で固定した事を特徴とするパイプ式プランターで、その立設されたパイプ式プランターを土中に埋設される基礎部となる杭、又は、ベースプレート式の台に被せて地際で連接されている事を特徴とするパイプ式プランター。【選択図】  図１    
2005312347.tif 000002
【特許請求の範囲】
【請求項１】
立設されたパイプの側面に比較的大きな穴を数個開口して、口金付のフラワーポットをパイプの開口部から挿入して口金を開口部で固定した事を特徴とするパイプ式プランター。    
【請求項２】
立設されたパイプの側面に比較的大きな穴を数個開口した請求項１のパイプ式プランターが杭、又は、ベースプレートで連接されている事を特徴とするパイプ式フプランター。
【発明の詳細な説明】
【技術分野】
【０００１】
本発明は、フラワースタンドとフラワーポットの機能を一体にすると共に、草花の植え付け、植え替えが容易で育成にも良くて、しかも立体的に配置できるプランターに関するものである。
【背景技術】
【０００２】
園芸の歴史は古く、大昔から身近な素材である素焼きの焼き物がフラワーポットとして使われてきた。自然界の中に豊富にある土を焼いて固めた物が素焼きで、その通気性が他の素材よりも良い事もあり、フラワーポットとしての用途に一番ふさわしい、という事からであった。    
しかし、素焼きである事で割れやすく、立体的に吊り下げるには、重いという欠点があった。
【０００３】
最近では、プラスチックス製で色々な形状と大きさの軽くて丈夫なフラワーポットが数多く販売されているし、自然に存在する木、蔦等の素材を使ったものも品揃えされている。
【０００４】
一方、家の構えも時代と共に変化してきているが、最近では、大きな洋風化の流れと為っていて、その周りに設置されるエクステリアも洋風化の流れの中にあるのは当然としても、更に、オープンな外構へと大きく変貌をとげているのである。
【０００５】
そんな中で、日本の住宅の敷地は、バブルが弾けて多少広くなったとは言え、まだまだ狭く、完全な車社会の中で２台の車を駐車させるスペースを確保するのが普通となってきている。そんな側面からもオープンな外構にする事で、車の駐車スペースを確保するようになって来ているのである。
【０００６】
このような現状から、一般的な住宅では、ガーデニングのできる庭作りのスペースが、ますます狭くなってきている。門柱を立て、門扉を付けて、アプロ−チに敷き材を敷いて、せいぜいフラワーポットを並べる程度の庭造りしか出来ないようになっているのである。
【０００７】
また、従来からも立体的な取り組みとして、メッシュ製のフェンスなど格子状パネルを立てて、その格子にフラワーポットを引っ掛けるなどして立体的な花壇としているが、このような方法では格子状パネルを設置する横長の場所を必要とするのである。
【発明の開示】
【発明が解決しようとする課題】
【０００８】
解決しようとする問題点は、簡単に安く作れると共に、場所も取らずに取り扱いやすく、耐久性と機能性に優れ、植物の成長にも良い景観に優れたガーデニング資材を提供せんとするものである。
【０００９】
樹脂製のパイプで構成したパイプ式プランターは、その外観を擬木風にしたとすると金型で一気に成型できて、パイプ状であることから比較的薄い肉厚でも強度もそれなりにある綺麗なものにすることができる。しかし、草花を飾る為の穴を比較的大きく開けることから、どうしても断面性能が落ちる事となる。そこで安くて強度のあるものにする為に、肉厚が３ミリメートル程度でもパイプの表面に擬木風等の凹凸をつけることで断面性能が上がって、相当強度のあるパイプとなる。
【００１０】
又、立体的に草花を飾る方法として、壁に格子状のパネルを取付けて、その格子にフラワーポットを引っ掛けて観賞する方法もあるが、フラワーポットに入れた草花は、夏場は引っ掛けている事もあって水分の蒸散が非常に早くその管理が大変となる。
【００１１】
そこで、パイプの側面に開けた大きな穴から中に土を一杯に入れて草花を植えつける方法もあるが、草花の植え替えや中の土の入れ替えがやりにくく、維持管理することが大変なのである。        
【課題を解決するための手段】
【００１２】
本発明では、比較的大きな薄肉の樹脂製パイプの表面にクヌギ風の模様をつけることで、その擬木風の凹凸が強度アップに寄与するので、薄肉の樹脂製パイプの側面に大きな穴を開けても充分な断面性能が得られるものにした。
【００１３】
ネットに口金を付けた袋形フラワーポット８、もしくは、Ｌ字形の口金付き容器形フラワーポット４に土と草花を植えつけたフラワーポットを、樹脂製パイプの側面に構成した大きな穴２に挿入して構成するのである。このようにフラワーポットの中に、土と草花を入れて樹脂製パイプの中に入れるので、土と草花の維持管理を極めて楽に行う事が出来るし、フラワーポットがパイプ式プランター１の中に入っているので、水の蒸散が極めて少なく維持管理が楽になるのである。
【００１４】
又、土を袋状のネット５の中に入れることで根が空気に充分触れる事となり根腐りが起こらないし、パイプ式プランター１の側面に開けた大きな穴２の裏側となる面の、天端の少し下にジョロ１１の先が入る程度の小穴３を開けておくと、水を供給するのに好都合であり、液肥などもこの小穴３から供給すると、最下段の草花にまで供給できるので極めてロスが無く効率的で、植物の生育にいい条件となるのである。
【００１５】
図１は、本発明の立体的なパイプ式プランター１に草花を植え込んだ状態の正面からの斜視図である。プラスチックスのブロー成型によって製作すると天端部分も同時に構成できるので都合が良い。直径が１５０ミリメートル、長さが１．１メートルでパイプ表面は擬木風に加工されていて、その凹凸が断面性能を上げている。草花を植えている部分は、直径１００ミリメートルの大きな穴２が三個開けられていて、口金の付いた袋形フラワーポット８、又は口金付きの容器形フラワーポット４の中に土と共に草花を入れ、これをパイプ式プランター１の穴２に挿入するのである。図２は、パイプ式プランター１を横に寝かせて使用した時の斜視図である。
【００１６】
図３は、上部にメッシュ状の穴７を、底には水抜き用の穴１６を持つＬ字形の口金付き容器形フラワーポット４でパイプ式プランター１の側面の穴２に入れて口金となる部分６で固定する。Ｌ字形の容器とすることで土の流出が少なく根も下の方に向かって伸びて行くので、植物の生育に好都合である。
【００１７】
図４は、袋状のネット５に口金６を付けたもので、ネットの中に土を入れ、更には草花を植えつけて、樹脂製パイプの側面の穴２にネット部から入れて口金となる部分６で固定する。ネットは土の流出がない限り粗いものの方がよく、１００メッシュ前後が良い。又、土の重みでパイプの中で下の方に袋が垂れ下がるようになるので根の生育に好都合である。  
口金６は、硬質のプラスチックスよりも半硬質位のものの方が多少の融通が利いてよいし、樹脂製パイプ側面の穴２の内径にきつく噛みこむようにすると固定しやすいのである。
【００１８】
図６は、パイプ式プランター１の斜視図である。図７は、パイプに接合できる部分９を持つ基礎杭の成型品であり、これを先に打ち込むか埋めるかして、基礎杭の成型品の上部に構成したパイプに接合できる部分９をパイプ式プランター１の下端の中に１００ミリメートル程度なじみの良い形で挿入してビス等で固着するのである。又、ベランダ等、床がタイルやコンクリートの上に置いて使用する場合は、図８のベースプレートを使用するのが良い。
【発明の効果】
【００１９】
樹脂製パイプの側面に１から３箇所大きな穴２を開けるので強度的に不利ではあるが、パイプの径が大きいのとパイプの表面に凹凸のある模様を深く入れるので、パイプの肉厚を薄くしても充分な強度があり安価に供給できるのである。
【００２０】
図４の袋状のネット５に口金６を付けた袋形ポット８は、草花の根に対して通気性が良く、パイプ式プランター１の中に入れることで、蒸散を抑える事が出来る。口金６はポリプロピレンとかポリエチレンで構成する。袋状のネット５はポリエステル、ポリプロピレンとかポリエチレン製のネットで構成すると良い。口金６の射出成型時に袋状のネット５をインサート成型することで口金付きの袋形フラワーポット８となる。図５のようにパイプの側面に構成される大きな穴２に取り付けられてパイプ背後の上部の小穴３から水、液肥等を供給する。
【００２１】
このパイプ上部の背後の小穴３は、夏場の温度上昇時パイプ式プランター１の内部から上がってきた高い温度を、適度に抜く役割をしてくれるので好都合であるし、又、図２のように、パイプ式プランター１の両端に年輪１２が付いた状態で横置きにした場合には小穴３は水抜きの穴となる。
【００２２】
又、図３のようにＬ字形の口金付き容器形フラワーポット４は、ブロー成型によって製作されフラワーポットの容器として、土と草花を入れてパイプ式プランター１の穴の中に入れるのであるが、この口金付き容器形フラワーポット４の底の部分に水抜きの穴１６を設け、更にこの口金付き容器形フラワーポット４の背中となる部分にメッシュ状に穴７を開けておくと、パイプ式プランター１の背面の上部の小穴３から注がれる水を、このメッシュ７の部分から取り込めるので良い。
【００２３】
図６の上部のパイプ式プランター１の部分と、図７の土の中に入る基礎杭とを別々に構成して、基礎杭図７を先に打ち込むか埋めるかして、その上部に構成したパイプ状９の部分に、パイプ式プランター１の下端を１００ミリメートル程度なじみの良い形で挿入してビス等で固着するのである。このようにパイプ式プランター１の部分と、基礎となる基礎杭図７かベースプレート図８に分割する事で、パイプ式プランター１を設置する場所に合わせて固定方法が選択できて好都合である。
【００２４】
例えば、砂利、砕石等の地耐力の期待出来ない場所に設置する時は、基礎杭図７の上部１００ミリメートルを残して、２５０ミリメートルの地中に入る部分１０をコンクリートで固めると非常に安定した基礎となる。比較的固い土であれば基礎杭図７を直接打ち込んでも良い。このように設置場所の地盤の条件によって安定した基礎が構築できるので、ぐらぐらしない安定した状態の立体的なパイプ式プランターが設置されるのである。又ベランダ、バルコニー等で基礎杭図７が使用できない場所では、ベースプレート式の台図８で構成するのが良い。
【発明を実施するための最良の形態】
【００２５】
図１は、本発明のパイプ式プランター１の使用状況の正面斜視図である、プラスチックスのブロー成型によって、パイプ表面が擬木風のテクスチャーでパイプの高さが１１００ミリメートル、直径は概ね１５０ミリメートルで構成する。
【００２６】
そのパイプ式プランター１天端から１５０ミリメートルの所に直径１００ミリメートルの大きな穴２を開ける。更にその穴２のセンターから下にピッチ３２５ミリメートルで直径１００ミリメートルの大きな穴２を２ヶ所開け、構成するのである。そして、図６のような外観とするのである。この時、パイプ式プランター１の裏側にも天端から５０ミリメートルの所に２０ミリメートルの小穴３を開ける。この小穴３から水やりをするのである。
【００２７】
パイプ式プランター１の中に、図３のＬ字形の口金付き容器形フラワーポット４を、フラワーポットの容器として土と草花を入れてパイプ式プランター１の中に入れるのであるが、この口金付き容器形フラワーポット４はパイプ式プランター１と同じ成型法であるブロー成型によって製作され、その材質はポリエチレンが良い。そして口金付き容器形フラワーポット４の底となる部分に水抜き用の小穴１６を設けておくのである。更にこの口金付き容器形フラワーポット４の背中となる部分に、ブロー成型されたものを加工してメッシュ状に穴７を開ける。このメッシュ状の穴７の構成は成型後、キリで穴を開けても良いが、背中となる部分に凹凸を作っておいて、凸の部分を切り取るのでも良い。このメッシュ７の構成によって、パイプ式プランター１の背面の上部の小穴３から注がれる水を、このメッシュ７の部分から取り込むのである。
【００２８】
図４の口金付き袋形フラワーポット８は、口金６の部分はポリエチレンで構成し、ネット５はポリエステルで構成する。口金６の射出成型時に袋状のネット５をインサート成型する。
【００２９】
図７にあるように、基礎となる部分を別に構成しておいて、その基礎杭図７の上部９の１００ミリメートルの部分を、直径が１４０ミリメートルとしておいて、パイプ式プランター１の下端部とビス等で接合する。２５０ミリメートルとした地中に入る部分１０は打ち込み時に土の中に入りやすく、又土と良く馴染むように、先端を尖らせると共に、筋状の翼を３から４箇所構成しておくと良い。このような形状とすることで、コンクリートで固めても非常に安定した基礎となる。適度に固く安定した土であれば基礎杭図７を直接打ち込んでも良い。このように設置場所の地盤の条件によって安定した基礎が構築できるのである。又、ベランダ等のタイル、コンクリートへの設置に際しては、ベースプレート式の台図８で構成すると、移動も出来るし取り扱いが容易である。
【図面の簡単な説明】
【００３０】
【図１】パイプ式プランターの使用状況の正面斜視図である。
【図２】パイプ式プランターを横置きで使用した時の斜視図である。
【図３】Ｌ字形をした口金付きの容器形フラワーポットの斜視図である。
【図４】口金付きの袋形フラワーポットの斜視図である。
【図５】パイプ式プランターの背後の穴からの水やり時の断面図である。
【図６】パイプ式プランターの斜視図である。
【図７】基礎杭の斜視図である。
【図８】ベースプレートの斜視図である。
【符号の説明】
【００３１】
１  パイプ式プランター
２  大きな穴
３  小穴
４  口金付きの容器形フラワーポット
５  袋状のネット
６  口金
７  メッシュ
８  口金付きの袋形フラワーポット
９  杭頭
１０  杭
１１  ジョロ
１２  天端
１３  草花
１４  鉄パイプ
１５  プレート
１６  水抜き口
【図１】
2005312347.tif 000003
【図２】
2005312347.tif 000004
【図３】
2005312347.tif 000005
【図４】
2005312347.tif 000006
【図５】
2005312347.tif 000007
【図６】
2005312347.tif 000008
【図７】
2005312347.tif 000009
【図８】
2005312347.tif 000010